(57)【要約】【課題】  従来、ストローを用いて、飲水物を飲む場合、ストローは、飲水の中を浮遊し自由に動くので、口元に運びにくく口元から離れにくい。その為、ストローを用いた飲水作業は両手を使用しないと、困難である。その事は障害者、介護老人、病床人、幼児、子供等には、厄介である。また飲水介助者においては、介助中の姿勢が辛いものがある。【解決手段】弾性の有る湾曲性部材のストロー固定具本体の板１に、ストローＡを切込２より入れ、切込３より出す事によって、ストローＡは、ストロー固定具である板１に固定される。このストローＡを固定した固定具１は弾性が有り湾曲性を持つので、その反発力により、簡単に容器内に設置する事が出来る。このストロー固定具１は、容器の中に固定され、ストローが浮遊したり、自由に動いたりしないので、ストローを用いての片手での飲水作業を容易に行う事が出来る。そして誰でも簡単に使える。【選択図】図２
2011218128.tif 000002
【特許請求の範囲】
【請求項１】
弾性を有する湾曲性部材で構成された固定具本体の板と、前記固定具により支持されたストロー固定具の本体である板を、容器内に設置する事を特徴とする、ストロー固定具。
【請求項２】
前記固定具本体は、前記板に切込を設けた請求項１のストロー固定具。
【発明の詳細な説明】
【技術分野】
【０００１】本発明は、ストロー固定具に関するものである。
【背景技術】
【０００２】従来、ストローを用いて容器内の飲水物を飲水する場合、飲水容器内のストローは、一定位置に固定されていない為、不安定で様々な問題が生ずる。
例えば、容器内の飲水にストローが浮遊し自由に動くと口元に運ぶのが厄介である。
またストローが口元から外れずに飲水をこぼしてしまう。その為、両手を使用しないと飲水を飲み干す事が出来ないので厄介である。特に、ストローを用いて飲水する事の多い人、つまり障害者、介護老人、病床人、幼児、子供、臥床人等には大きな問題である。また飲水介助者にとって両手での飲水介助姿勢は中腰等で辛い。
更に、ストローを使用出来る容器にも限定があり、小さい容器には、ストローは容器に止まらず、容器の外へ逃げてしまい、ストローでの飲水が困難である。
【先行技術文献】
【特許文献】
【０００３】
【特許文献１】  特開平１１−２１５２８２
【特許文献２】  特平１１−１５９９４９
【発明の概要】
【発明が解決しようとする課題】
【０００４】前記１は、ストローは容器に固定されるが、構造が複雑で本体が小さい為、扱い辛い。特に、老人等には挿入孔や本体そのものを見失いやすい。更に幼児、子供には誤飲の恐れがある。また、挿入孔の大きさが決まっている為、太さの合わないストローを使用すれば、ストローが安定しない。その為、使用するストローの太さも限定される。更に容器端部に取り付ける為、昨今の飲水容器の多種多様なザインには対応し辛く、取り付ける容器も限定される。またコスト高になる。【０００５】前記２は、ストローは容器に固定されるが、更に構造が複雑で、障害者、老人、幼児、子供等には、扱い辛い。更に、衛生面において細部への洗浄が行いにくい。また構造面においてもコスト高になる。
【課題を解決するための手段】
【０００６】上記に鑑み、本発明は、ストロー固定具本体である板の切り込みにストローを差し込むだけで、容易にストローの固定を支持するものである。更に、そのストロー固定具を容器内に入れるだけの単純な作業で執り行えるものである。その為、障害者、介護老人、幼児、子供等にも扱いやすく、安全である。また、一枚の板である事から、洗浄しやすく、衛生的である。【０００７】本発明は、構造面においても、低コストを実現出来る。更にストロー固定具本体である板の、切込は、様々な太さのストローに、充分対応出来るものである。また、ストロー固定具である板は、容器の内周面に設置する為、多種多様なデザインの容器にも対応出来る特徴を有する。更に、このストローを支持した固定具である板は、弾性を有する湾曲性部材による反発力、または容器内飲水との表面張力により容器内に安定するものであり、障害者、介護老人、病床人、幼児、子供等にも、扱いやすく、安全である事を特徴とするストロー固定具である。
【発明の効果】
【０００８】本発明は、請求項１に記載の弾性を有する湾曲性部材に、請求項２の切込を設け、構成された一枚の板である固定具本体と、前記固定具にストローを差し込み、ストローを支持した固定具である板を、容器内周面に設置する事を特徴とするストロー固定具である。従って、ストローを支持した固定具である板は、弾性を有する湾曲性部材による反発力、または飲水との表面張力により、容易に容器内に設置する事が出来、取り出しも容易である。更に多種多様の容器に対応出来るものである。【０００９】更に、ストローを支持した固定具は容器内に設置しても、容器内の移動が容易に行えるものである。また、容器内にストローが固定されているので、ストローが口元に運びやすく、口元から離しやすい為、片手で飲水を飲み干す事が出来る。その事は、障害者、病床人、介護老人等の飲水介助において、片手で飲水介助が出来る事になり、介助者の辛い姿勢も緩和される。また、本発明は、一枚の板で構成されており、障害者、介護老人、病床人、幼児、子供等にも容易に使用する事が出来、しかも安全である。そのうえ、洗浄しやすく衛生を保てる。それを低コストで実現出来る特徴を持つものである。
【図面の簡単な説明】
【００１０】
【図１】本発明の第１実施形態を示すストロー固定具の斜視図。
【図２】同じくストロー固定具の正面図。
【図３】同じくストロー固定具の断面図。
【発明を実施するための形態】
【００１１】以下、本発明の実施の形態を、図面を参照にして説明する。
図１は、本発明のストロー固定具の斜視図である。弾性を有する湾曲性部材である一枚の板から成るストロー固定具本体１に、切込２及び切込３を設ける事で構成される。切込２からストローＡ差し込み、切込３よりストローＡを出す事で、ストローＡは常時、固定具本体１に支持される。切込２及び切込３の長さは自由で、切込寸法を変更しなくても、様々なストローの太さに対応出来る。なぜなら、ストロー固定具本体１は、弾性を有する湾曲性部材である為、ストローＡを固定具本体１に設置後、切込２と切込３の間の部分４において、ストローＡを、弾性を有する湾曲性部材による弱圧力で安定させるからである。この弱圧力はストローＡを圧迫する事なく、ストローＡ本体の向きは自由に方向転換が出来、弾性を有する湾曲部材による弱圧力により、方向転換後の向きも、安定するものである。
【００１２】図２は、ストロー固定具本体を容器に設置した正面図である。弾性を有する湾曲性部材から成るストロー固定具本体１は、弾性を有する湾曲性部材の反発力により、容易に容器Ｂ内に設置する事が出来、それを安全に行える。更に容器Ｂ内周面を自由に移動する事が出来、移動後のストロー固定具の位置も常時反発力が働いている為、安定する。その為、容器内のどの方向からも、ストローでの飲水が出来るものである。また、ストロー固定具本体と容器内飲水の隙間に表面張力が生じ、更に移動しやすく安定し、飲水後も安定は続くものである。
【００１３】図３は、ストロー固定具本体の断面図である。固定具本体１は、弾性を有する湾曲性部材の一枚の板であり、構成が単純である事から、低コストで実現出来るものである。
【実施例】
【００１４】実施例１ストロー固定具本体である板に設けられた切込には、容易にストローを設置する事が出来た。この事は、ストローを上から入れて下から出す単純な作業であり、老人や子供にも容易に行える作業であった。更に、ストローを支持したストロー固定具である板を片手で持ち、軽い湾曲を維持しながら、容易に容器内に設置する事が出来た。設置後の、ストロー固定具は容器内周面の円弧に反発力により固定を維持し、安定した。更にこの容器内のストロー固定具は、容器内周面を３６０度自由に移動する事が出来、容器の好みの位置でストローを固定する事が出来た。【００１５】実施例２そこで異なる内周面を持つ３個の容器でストロー固定具の設置を試みた。
それは、凹凸の内周面を持つ焼物の陶器の湯飲み、ハートの形状のマグカップ、傾斜のあるコップである。その結果、どの容器にもストロー固定具の固定は維持され、安定を続けた。更に、幼児向きのコップと５０ｃｃ用の小さなコップでストロー固定具の設置を試みた。初めに、小さな容器にストローを単体で入れて見たが、浮遊し、容器から跳ね出てしまう。しかしそれらの小さなコップに、ストロー固定具を使用すると、固定が維持され、太いストローでも安定して使用する事が出来た。【００１６】実施例３また、ストロー固定具を設置した容器に飲水を注ぐと、ストロー固定具である板と、容器内周面との間に飲水との表面張力が生じ、容器内周面から離れる事なく更に安定し、そのうえ、軽い力でストロー固定具を移動する事が出来た。そこで、臥位状態にある人に、片手での飲水介助を試みた。その結果、飲水介助者は片手で飲水介助が行え、もう一方の手で自らの身体を支える事が出来、タオルを持つ、腕時計を見る等、介助者にとって有益な状態になった。また、片手で飲水を飲み干す事が出来る為、臥位状態にある本人も、容易に容器内のストローを口元に運ぶ事が出来、片手だけで飲水を最後まで飲み干す事が出来た。この飲水を飲み干した後の、容器内に繰り返し飲水を注いでも、このストロー固定具は、固定の維持を続けた。
【符号の説明】
【００１７】１  ストロー固定具本体
２  切込
３  切込
４  切込間
Ａ  ストロー
Ｂ  容器
Ｃ  容器内周面
【図１】
2011218128.tif 000003
【図２】
2011218128.tif 000004
【図３】
2011218128.tif 000005